(57)【特許請求の範囲】
【請求項１】
印刷ジョブを受信する通信部と，
記憶部と，
シートへの画像の印刷を行う印刷部と，
印刷指示を受け付ける受付部と，
制御部と，
を備え，
前記印刷ジョブを受信した後，前記印刷ジョブに対する前記印刷指示を前記受付部を介して受け付けたことを契機に前記印刷ジョブによる印刷を行う蓄積印刷と，
前記印刷ジョブに含まれるプリンタ言語データを展開してビットマップデータを作成する処理を複数回行い，作成された複数のビットマップデータのそれぞれに基づく画像の印刷を順次に行うカーボンコピー印刷と，
を行う機能を有する印刷装置において，
前記制御部は，
前記蓄積印刷を行う印刷ジョブである蓄積印刷ジョブを前記通信部を介して受信した場合に，前記蓄積印刷ジョブについて前記カーボンコピー印刷を行うか否かを判断する判断処理を実行し，
前記判断処理にて前記カーボンコピー印刷を行うと判断された場合，
前記蓄積印刷ジョブに含まれる前記プリンタ言語データを展開してビットマップデータを作成する処理を複数回行う作成処理と，
前記作成処理にて作成された前記複数のビットマップデータを，前記記憶部に記憶させる第１の記憶処理と，
前記蓄積印刷ジョブに対する前記印刷指示を前記受付部を介して受け付けたことを契機に，前記第１の記憶処理にて前記記憶部に記憶させた前記複数のビットマップデータに基づく画像の印刷を，前記印刷部に順次に行わせる第１の印刷処理と，
を実行し，
前記判断処理にて前記カーボンコピー印刷を行わないと判断された場合，
前記蓄積印刷ジョブに含まれる前記プリンタ言語データを，前記記憶部に記憶させる第２の記憶処理と，
前記蓄積印刷ジョブに対する前記印刷指示を前記受付部を介して受け付けたことを契機に，前記第２の記憶処理にて前記記憶部に記憶させた前記プリンタ言語データを展開してビットマップデータを作成する処理を行い，作成された前記ビットマップデータに基づく画像の印刷を，前記印刷部に行わせる第２の印刷処理と，
を実行することを特徴とする印刷装置。
【請求項２】
請求項１に記載する印刷装置において，
デバイス情報あるいはユーザ情報と，前記カーボンコピー印刷を行うか否かの実行情報と，を関連付けて記憶する不揮発性の情報記憶部を備え，
前記制御部は，
前記判断処理では，前記通信部を介して受信した前記蓄積印刷ジョブの送信元のデバイス情報あるいは前記蓄積印刷ジョブのユーザ情報を取得し，取得された情報と関連付けられた実行情報に基づいて，前記カーボンコピー印刷を行うか否かを判断する，
ことを特徴とする印刷装置。
【請求項３】
請求項１に記載する印刷装置において，
前記通信部は，デバイス情報あるいはユーザ情報と，前記カーボンコピー印刷を行うか否かの実行情報と，を関連付けて記憶する外部装置と通信可能であり，
前記制御部は，
前記判断処理では，前記通信部を介して受信した前記蓄積印刷ジョブの送信元のデバイス情報あるいは前記蓄積印刷ジョブのユーザ情報を取得し，取得された情報である特定情報を，前記通信部を介して前記外部装置に送信し，さらに前記通信部を介して前記外部装置から送信される前記特定情報と関連付けられた実行情報を受信し，受信した前記実行情報に基づいて，前記カーボンコピー印刷を行うか否かを判断する，
ことを特徴とする印刷装置。
【請求項４】
請求項１から請求項３のいずれか１つに記憶する印刷装置において，
前記制御部は，
前記第１の記憶処理では，さらに，前記蓄積印刷ジョブに含まれる前記プリンタ言語データを，前記記憶部に記憶させ，
前記第１の印刷処理では，
前記蓄積印刷ジョブに対する前記印刷指示を前記受付部を介して受け付けたことを契機に，前記カーボンコピー印刷の実行可否を示す情報の入力を受け付け，
前記カーボンコピー印刷の実行可を示す情報が入力された場合には，前記第１の記憶処理にて前記記憶部に記憶させた前記複数のビットマップデータに基づく画像の印刷を，前記印刷部に順次に行わせ，
前記カーボンコピー印刷の実行不可を示す情報が入力された場合には，前記第１の記憶処理にて前記記憶部に記憶させた前記プリンタ言語データを展開してビットマップデータを作成し，作成された前記ビットマップデータに基づく画像の印刷を，前記印刷部に行わせる，
ことを特徴とする印刷装置。
【請求項５】
請求項１から請求項４のいずれか１つに記憶する印刷装置において，
前記制御部は，
前記作成処理にて作成された複数のビットマップデータの画像の少なくとも１つに，特定の画像を合成する合成処理を実行し，
前記第１の印刷処理では，前記合成処理が実行されたビットマップデータであれば，合成後の画像の印刷を，前記印刷部に行わせる，
ことを特徴とする印刷装置。
【請求項６】
請求項５に記載する印刷装置において，
前記制御部は，
前記作成処理の実行後であって前記第１の記憶処理の実行前に，前記合成処理を実行し，
前記第１の記憶処理では，前記合成処理が実行されたビットマップデータであれば，前記合成処理により前記特定の画像が合成された前記ビットマップデータを，前記記憶部に記憶させる，
ことを特徴とする印刷装置。
【請求項７】
記憶部と，
シートへの画像の印刷を行う印刷部と，
印刷指示を受け付ける受付部と，
制御部と，
を備える印刷システムであって，
印刷ジョブを受け付けた後，前記印刷ジョブに対する前記印刷指示を前記受付部を介して受け付けたことを契機に前記印刷ジョブによる印刷を前記印刷部が行う蓄積印刷と，
前記印刷ジョブに含まれるプリンタ言語データを展開してビットマップデータを作成する処理を前記制御部が複数回行い，作成された複数のビットマップデータのそれぞれに基づく画像の印刷を順次に前記印刷部が行うカーボンコピー印刷と，
を行う機能を有する前記印刷システムの印刷方法において，
前記蓄積印刷を行う印刷ジョブである蓄積印刷ジョブを受け付けた場合に，前記蓄積印刷ジョブについて前記カーボンコピー印刷を行うか否かを，前記制御部が判断し，さらに，
前記制御部が前記カーボンコピー印刷を行うと判断した場合，
前記蓄積印刷ジョブに含まれる前記プリンタ言語データを展開してビットマップデータを作成する処理を，前記制御部が複数回行い，
作成された前記複数のビットマップデータを，前記記憶部が記憶し，
前記蓄積印刷ジョブに対する前記印刷指示を前記受付部を介して受け付けたことを契機に，前記記憶部に記憶させた前記複数のビットマップデータに基づく画像の印刷を，前記印刷部が順次に行い，
前記制御部が前記カーボンコピー印刷を行わないと判断した場合，
前記蓄積印刷ジョブに含まれる前記プリンタ言語データを，前記記憶部が記憶し，
前記蓄積印刷ジョブに対する前記印刷指示を前記受付部を介して受け付けたことを契機に，前記記憶部に記憶させた前記プリンタ言語データを展開してビットマップデータを作成する処理を前記制御部が行い，作成された前記ビットマップデータに基づく画像の印刷を，前記印刷部が行う，
ことを特徴とする印刷方法。
【発明の詳細な説明】
【技術分野】
【０００１】
本発明は，蓄積印刷機能とカーボンコピー印刷機能とを有する印刷装置および印刷方法に関する。
【背景技術】
【０００２】
従来から，印刷装置が有する機能として，蓄積印刷機能が知られている。印刷装置は，蓄積印刷機能が有効な場合，外部装置から印刷ジョブを受信しても印刷を直ぐには行わずにその印刷ジョブの画像データをメモリに記憶し，その後にその印刷ジョブに対する印刷指示を受け付けたことを契機に，その印刷ジョブの画像データに基づく画像の印刷を開始する。
【０００３】
また，印刷装置が有する機能には，前述した蓄積印刷機能の他，カーボンコピー印刷機能が知られている。印刷装置は，カーボンコピー印刷機能が有効な場合，印刷ジョブに含まれるプリンタ言語データ（以下，「ＰＤＬデータ」とする）に基づいて，自動的に複数のビットマップデータを作成し，各ビットマップデータの画像を順次に印刷する。
【０００４】
また，印刷装置が印刷ジョブの画像データを記憶する態様としては，例えば特許文献１に開示されているように，ＰＤＬデータのままメモリに記憶する態様と，ＰＤＬデータをビットマップデータに展開（ラスタライズ）し，さらにそのビットマップデータを圧縮して記憶する態様と，が知られている。さらに特許文献１では，プリンタは，ＰＤＬデータのデータ量と，圧縮したビットマップデータのデータ量と比較して，印刷ジョブの画像データを記憶する態様を選択している。
【先行技術文献】
【特許文献】
【０００５】
【特許文献１】特開２０００−２０３１０４号公報
【発明の概要】
【発明が解決しようとする課題】
【０００６】
しかしながら，従来の印刷装置には改善の余地がある。すなわち，従来の印刷装置では，印刷ジョブの画像データを記憶する際，印刷ジョブに適用される機能を考慮していない。例えば，カーボンコピー印刷機能は，店舗窓口等において見積書を発行する際に，顧客用の画像と店舗控用の画像とを印刷するような用途で利用されることが多く，印刷物の早期取得の必要性が高い傾向にある。従来の印刷装置では，このような印刷物の早期取得の必要性が高い傾向にある機能が適用される印刷ジョブであっても，ＰＤＬデータのままメモリに記憶されることがある。ＰＤＬデータのままメモリに記憶すると，印刷指示を受け付けた後にビットマップデータへの展開を行うため，印刷開始が遅れてしまう。
【０００７】
本発明は，前記した従来の技術が有する問題点を解決するためになされたものである。すなわちその課題とするところは，蓄積印刷機能とカーボンコピー印刷機能とを有する印刷装置において，印刷ジョブの画像データを好適に記憶する技術を提供することにある。
【課題を解決するための手段】
【０００８】
この課題の解決を目的としてなされた印刷装置は，印刷ジョブを受信する通信部と，記憶部と，シートへの画像の印刷を行う印刷部と，印刷指示を受け付ける受付部と，制御部と，を備え，前記印刷ジョブを受信した後，前記印刷ジョブに対する前記印刷指示を前記受付部を介して受け付けたことを契機に前記印刷ジョブによる印刷を行う蓄積印刷と，前記印刷ジョブに含まれるプリンタ言語データを展開してビットマップデータを作成する処理を複数回行い，作成された複数のビットマップデータのそれぞれに基づく画像の印刷を順次に行うカーボンコピー印刷と，を行う機能を有する印刷装置において，前記制御部は，前記蓄積印刷を行う印刷ジョブである蓄積印刷ジョブを前記通信部を介して受信した場合に，前記蓄積印刷ジョブについて前記カーボンコピー印刷を行うか否かを判断する判断処理を実行し，前記判断処理にて前記カーボンコピー印刷を行うと判断された場合，前記蓄積印刷ジョブに含まれる前記プリンタ言語データを展開してビットマップデータを作成する処理を複数回行う作成処理と，前記作成処理にて作成された前記複数のビットマップデータを，前記記憶部に記憶させる第１の記憶処理と，前記蓄積印刷ジョブに対する前記印刷指示を前記受付部を介して受け付けたことを契機に，前記第１の記憶処理にて前記記憶部に記憶させた前記複数のビットマップデータに基づく画像の印刷を，前記印刷部に順次に行わせる第１の印刷処理と，を実行し，前記判断処理にて前記カーボンコピー印刷を行わないと判断された場合，前記蓄積印刷ジョブに含まれる前記プリンタ言語データを，前記記憶部に記憶させる第２の記憶処理と，前記蓄積印刷ジョブに対する前記印刷指示を前記受付部を介して受け付けたことを契機に，前記第２の記憶処理にて前記記憶部に記憶させた前記プリンタ言語データを展開してビットマップデータを作成する処理を行い，作成された前記ビットマップデータに基づく画像の印刷を，前記印刷部に行わせる第２の印刷処理と，を実行することを特徴としている。
【０００９】
本明細書に開示される印刷装置は，蓄積印刷を行うジョブを受信した場合，カーボンコピー印刷を行うか否かを判断する。カーボンコピー印刷を行う場合には，蓄積印刷の印刷ジョブであってもＰＤＬデータを展開して，複数のビットマップデータを作成し，作成した複数のビットマップデータを記憶する。一方，カーボンコピー印刷を行わない場合には，ＰＤＬデータを記憶し，印刷指示を受け付けてから展開する。
【００１０】
本明細書に開示される印刷装置によれば，カーボンコピー印刷を行う蓄積印刷ジョブについては，印刷指示を受け付ける前からビットマップデータへの展開を行い，そのビットマップデータを記憶するので，印刷指示を受け付けた際，ビットマップデータへの展開を待たずに印刷を開始できる。そのため，カーボンコピー印刷を行う印刷ジョブについては，蓄積印刷を行う場合であっても，印刷開始の早期化が図られる。
【００１１】
上記印刷装置の機能を実現するための制御方法，コンピュータプログラム，および当該コンピュータプログラムを格納するコンピュータ読取可能な記憶媒体も，新規で有用である。
【発明の効果】
【００１２】
本発明によれば，蓄積印刷機能とカーボンコピー印刷機能とを有する印刷装置において，印刷ジョブの画像データを好適に記憶する技術が実現される。
【図面の簡単な説明】
【００１３】
【図１】実施の形態にかかるプリンタの概略構成を示す断面図である。
【図２】プリンタの電気的構成を示すブロック図である。
【図３】カーボンコピー印刷以外の蓄積印刷を行う手順を示す説明図である。
【図４】カーボンコピー印刷の蓄積印刷以外の印刷を行う手順を示す説明図である。
【図５】カーボンコピー印刷の蓄積印刷を行う手順を示す説明図である。
【図６】プリンタのジョブ蓄積処理の手順を示すフローチャートである。
【図７】メモリにデータが蓄積される例を示す説明図である。
【図８】カーボンコピー情報の例を示す説明図である。
【図９】プリンタの読出印刷処理の手順を示すフローチャートである。
【発明を実施するための形態】
【００１４】
以下，本発明にかかる印刷装置を具体化した実施の形態について，添付図面を参照しつつ詳細に説明する。本形態は，蓄積印刷機能とカーボンコピー印刷機能とを備えたプリンタに本発明を適用したものである。
【００１５】
本形態のプリンタ１００は，図１に示すように，シートに画像を印刷する画像形成部１０と，給紙部１１と，排紙部１２とを備えている。画像形成部１０は，シートに画像を印刷するための構成である。画像形成部１０は，印刷部の一例である。画像形成部１０の画像形成方式は，電子写真方式であっても，インクジェット方式であってもよい。プリンタ１００は，カラー画像の形成が可能な装置であっても，モノクロ画像専用の装置であってもよい。また，プリンタ１００は，両面印刷可能な装置であっても，片面印刷のみの装置であってもよい。
【００１６】
プリンタ１００は，給紙部１１として，複数の給紙トレイを備えている。給紙部１１の各給紙トレイは，印刷用のシートを収容する。具体的に，図１に示すように，プリンタ１００は，３段の給紙トレイ１１１，１１２，１１３を備えている。なお，プリンタ１００は，１つのみの給紙トレイを備えるものでもよいし，さらに他の給紙トレイを備えていてもよいし，開閉可能な多目的給紙トレイや，手差しトレイを備えていてもよい。
【００１７】
プリンタ１００は，排紙部１２として，複数の排紙トレイを備えている。排紙部１２の各排紙トレイは，印刷済みのシートを収容する。具体的に，図１に示すように，プリンタ１００は，本体上面の排紙トレイ１２１と増設排紙トレイ１２２とを備えている。なお，プリンタ１００は，１つのみの排紙トレイを備えるものでもよいし，さらに他の排紙トレイを備えていてもよいし，開閉可能な多目的排紙トレイを備えていてもよい。
【００１８】
また，プリンタ１００は，本体の上面に操作パネル４０を備えている。操作パネル４０は，ユーザに向けた各種の表示を行うとともに，ユーザによる指示入力を受け付ける。操作パネル４０は，受付部の一例である。
【００１９】
続いて，プリンタ１００の電気的構成について説明する。プリンタ１００は，図２に示すように，ＣＰＵ３１と，ＲＯＭ３２と，ＲＡＭ３３と，ＮＶＲＡＭ（不揮発性ＲＡＭ）３４とを含むコントローラ３０を備えている。また，プリンタ１００は，画像形成部１０と，ネットワークインターフェース３７と，ＵＳＢインターフェース３８と，操作パネル４０とを備え，これらがコントローラ３０に電気的に接続されている。
【００２０】
ＲＯＭ３２には，プリンタ１００を制御するための各種制御プログラムや各種設定，初期値等が記憶されている。ＲＡＭ３３やＮＶＲＡＭ３４は，各種制御プログラムが読み出される作業領域として，あるいは，データを一時的に記憶する記憶領域として利用される。ＲＡＭ３３またはＮＶＲＡＭ３４は，記憶部の一例である。
【００２１】
ＣＰＵ３１は，ＲＯＭ３２から読み出した制御プログラムに従って，その処理結果をＲＡＭ３３またはＮＶＲＡＭ３４に記憶させながら，プリンタ１００の各構成要素を制御する。ＣＰＵ３１は，制御部の一例である。なお，コントローラ３０が制御部であってもよい。なお，図２中のコントローラ３０は，ＣＰＵ３１等，プリンタ１００の制御に利用されるハードウェアを纏めた総称であって，実際にプリンタ１００に存在する単一のハードウェアを表すとは限らない。
【００２２】
ネットワークインターフェース３７は，ネットワークを介して接続された装置と通信を行うためのハードウェアである。ネットワークインターフェース３７の通信方式は，有線でも無線でもよい。ＵＳＢインターフェース３８は，ＵＳＢケーブル等を介して接続された装置と通信を行うためのハードウェアである。ネットワークインターフェース３７およびＵＳＢインターフェース３８は，通信部の一例である。
【００２３】
続いて，プリンタ１００の機能について説明する。プリンタ１００は，少なくとも，蓄積印刷機能とカーボンコピー印刷機能とを有し，印刷ジョブとして，これらの一方または両方の機能の使用が設定された印刷ジョブを受け付ける。
【００２４】
蓄積印刷機能は，受け付けた印刷ジョブを直ぐには印刷せず，操作パネル４０にて印刷指示を受け付けたことを契機に印刷を行う機能である。プリンタ１００は，蓄積印刷が指定された印刷ジョブを受け付けた場合，受け付けた印刷ジョブの画像データをＲＡＭ３３またはＮＶＲＡＭ３４に記憶し，印刷指示を受け付けるまで印刷を開始しない。印刷指示としては，例えば，操作パネル４０中の印刷開始ボタンの押下が該当する。なお，画像データを蓄積する場合，圧縮せずにそのまま蓄積してもよいし，圧縮して蓄積してもよい。
【００２５】
カーボンコピー印刷機能は，受け付けた印刷ジョブのＰＤＬデータを展開してビットマップデータを作成する処理を複数回行い，複数のビットマップデータを作成して，作成した各ビットマップデータに基づく画像の印刷を行う機能である。つまり，プリンタ１００は，カーボンコピー印刷の指定された１つの印刷ジョブに基づいて，複数の印刷を実行する。複数の印刷は，単なる複数部数の印刷ではなく，それぞれ異なる印刷設定を適用した印刷である。
【００２６】
まず，蓄積印刷機能を使用する印刷ジョブであって，カーボンコピー印刷機能を使用しない印刷ジョブを受け付けた場合のプリンタ１００の動作について説明する。図３に，蓄積印刷機能を使用しカーボンコピー印刷機能を使用しない印刷ジョブを受け付けた場合の，プリンタ１００の動作を図示する。
【００２７】
例えば，図３に示すように，プリンタ１００は，ＰＣ等の外部装置から，ネットワークインターフェース３７またはＵＳＢインターフェース３８を介して，蓄積印刷が指定された印刷ジョブを受け付ける（Ａ）。そして，蓄積印刷が指定されている印刷ジョブを受け付けた場合，プリンタ１００は，受け付けた印刷ジョブの画像データをＲＡＭ３３に保存する（Ｂ）。図３では，画像データとしてＰＤＬデータを保存する例を示している。そして，プリンタ１００は，受け付けた印刷ジョブに対する印刷指示を受け付けるまで，この印刷ジョブの印刷を実行しない。
【００２８】
プリンタ１００は，操作パネル４０を介して印刷指示を受け付けることにより，受け付けた印刷ジョブのＰＤＬデータをＲＡＭ３３から読み出して展開し，ビットマップデータを作成する（Ｃ）。さらに，プリンタ１００は，作成したビットマップデータに基づく印刷を実行する（Ｄ）。印刷完了後，プリンタ１００は，ＲＡＭ３３に記憶した画像データ（ＰＤＬデータ及びビットマップデータ）を削除する。
【００２９】
蓄積印刷の印刷ジョブの印刷は，例えば，当該印刷ジョブのユーザがプリンタ１００の近くに来て，印刷指示を入力した後に実行される。従って，蓄積印刷の印刷物が他のユーザに持ち去られる可能性は低い。つまり，機密情報や個人情報を含む情報など秘匿性の高い画像の印刷に適している。
【００３０】
次に，カーボンコピー印刷機能を使用する印刷ジョブであって，蓄積印刷機能を使用しない印刷ジョブを受け付けた場合のプリンタ１００の動作について説明する。図４に，カーボンコピー印刷機能を使用し蓄積印刷機能を使用しない印刷ジョブを受け付けた場合の，プリンタ１００の動作を図示する。
【００３１】
例えば，図４に示すように，プリンタ１００は，ＰＣ等の外部装置から，ネットワークインターフェース３７またはＵＳＢインターフェース３８を介して，カーボンコピー印刷の印刷ジョブを受け付ける（Ｅ）。そして，カーボンコピー印刷の印刷ジョブを受け付けた場合，プリンタ１００は，受け付けた印刷ジョブのＰＤＬデータに，予め記憶している各印刷設定をそれぞれ適用して，複数のビットマップデータを作成する。
【００３２】
そのために，プリンタ１００は，複数の印刷設定を予め受け付け，ＮＶＲＡＭ３４に記憶している。印刷設定としては，例えば，使用する給紙トレイの指定，使用する排紙トレイの指定，特定の合成画像の付加，カラー印刷またはモノクロ印刷，印刷解像度が該当する。印刷設定は，ＰＤＬデータからビットマップデータを作成する時に適用される設定と，ビットマップデータに基づく画像の印刷時に適用される設定とを含む。例えば，図４の例では，プリンタ１００のＮＶＲＡＭ３４に，２種類の印刷設定が記憶されている。具体的に，プリンタ１００は，顧客用の合成画像の合成を含む顧客用の印刷設定と，店舗用の合成画像の合成を含む店舗用の印刷設定とを記憶している。
【００３３】
図４の例では，プリンタ１００は，予め記憶している２種類の印刷設定を使用して，受け付けた印刷ジョブの１つのＰＤＬデータを２回展開し，２種類のビットマップデータを作成する（Ｆ）。そして，プリンタ１００は，作成した２種類のビットマップデータをそれぞれ，ＲＡＭ３３に記憶する（Ｇ）。なお，プリンタ１００は，給紙トレイの指定等の印刷実行時に適用する設定情報も，各ビットマップデータに関連付けて記憶する。
【００３４】
プリンタ１００は，図４に示すように，作成した複数のビットマップデータを，それぞれの印刷設定を使用して順次印刷し，印刷完了後，ＲＡＭ３３からビットマップデータを削除する（Ｈ）。ＰＤＬデータについては，プリンタ１００は，（Ｇ）の時点で削除してもよいし，（Ｈ）にてビットマップデータとともに削除してもよい。なお，図４では，（Ｅ）以外の図でＮＶＲＡＭ３４を省略しているが，カーボンコピー印刷の印刷ジョブの受け付けや印刷を行っても，ＮＶＲＡＭ３４の内容は変わらない。
【００３５】
カーボンコピー印刷の機能を使用することにより，プリンタ１００は，受け付けた１つのＰＤＬデータを元にして，同じデータを複数の様式で印刷することができる。プリンタ１００は，例えば，図４に示すように，それぞれ異なる表題や枠線等を付加して，顧客用の印刷物と店舗用の印刷物とを作成できる。
【００３６】
なお，カーボンコピー印刷での画像の合成はしなくてもよい。あるいは，カーボンコピー印刷の印刷設定として，画像の合成を含む印刷設定と画像の合成を含まない印刷設定とが混在するものであってもよい。例えば，図４の（Ｇ）に示したように，各ビットマップデータの印刷設定として，それぞれ異なる給紙トレイを指定すれば，同じデータをそれぞれ異なる給紙トレイに収容されている用紙に印刷させることができる。ただし，画像の合成を行えば，１つのデータから様々な用途に合った印刷物を作成できるので好ましい。また，図４の例では２種類の印刷物を作成するとしたが，カーボンコピー印刷にて作成する印刷物の数は，３以上でもよい。
【００３７】
本形態のプリンタ１００は，１つの印刷ジョブに対して，蓄積印刷機能とカーボンコピー印刷機能との両方の機能を適用できる。そのため，プリンタ１００は，蓄積印刷とカーボンコピー印刷との両方の機能を使用する印刷ジョブを受け付ける。次に，カーボンコピー印刷機能と蓄積印刷機能とをともに使用する印刷ジョブを受け付けた場合のプリンタ１００の動作について説明する。図５に，カーボンコピー印刷の印刷ジョブであって，蓄積印刷機能を使用する印刷ジョブを受け付けた場合の，プリンタ１００の動作を示す。つまり，プリンタ１００は，蓄積印刷の印刷ジョブであっても，カーボンコピー印刷の印刷ジョブである場合には，図３や図４に示した例とはやや異なる動作を行う。
【００３８】
プリンタ１００は，図３の（Ａ）と同様に，蓄積印刷の印刷ジョブを受け付ける（Ｉ）。ただし，（Ｉ）にて受け付けた印刷ジョブは，蓄積印刷だけでなく，カーボンコピー印刷の実行も指定されている。この場合，プリンタ１００は，印刷指示の受付を待たずに，図４の（Ｆ）と同様に，ＰＤＬデータを２回展開し，２種類のビットマップデータを作成する（Ｊ）。さらに，プリンタ１００は，作成した２種類のビットマップデータをＲＡＭ３３に記憶する（Ｋ）。この点，カーボンコピー印刷の機能を使用しない場合の図３の（Ｂ）や（Ｃ）の動作とは異なる。なお，図５の例では，図４と同様に，２種類の印刷設定が記憶されているものとしている。
【００３９】
つまり，蓄積印刷とカーボンコピー印刷との両方の機能を使用する印刷ジョブを受け付けた場合，プリンタ１００は，印刷指示を受け付けていなくてもビットマップデータへの展開を実行し，ＲＡＭ３３にビットマップデータを記憶する。そして，プリンタ１００は，操作パネル４０を介して印刷指示を受け付けたことを契機に，記憶している各ビットマップデータの印刷を実行する（Ｌ）。プリンタ１００は，印刷が終了したら，記憶しているビットマップデータを削除する。
【００４０】
続いて，本形態のプリンタ１００にて，上述の各印刷機能を使用する印刷ジョブを含み，各種の印刷ジョブを受け付ける動作を実現するジョブ蓄積処理の手順について，図６のフローチャートを参照しつつ説明する。ジョブ蓄積処理は，ネットワークインターフェース３７またはＵＳＢインターフェース３８を介して，印刷ジョブを受け付けたことを契機に，ＣＰＵ３１によって実行される。
【００４１】
ジョブ蓄積処理では，ＣＰＵ３１は，まず，受け付けた印刷ジョブが蓄積印刷の印刷ジョブであるか否かを判断する（Ｓ１０１）。なお，プリンタ１００は，蓄積印刷の設定を，印刷ジョブの印刷設定として受け付ける。そして，蓄積印刷の印刷ジョブではないと判断した場合（Ｓ１０１：ＮＯ），ＣＰＵ３１は，印刷指示の受付を待たずに，印刷を実行し（Ｓ１０２），ジョブ蓄積処理を終了する。
【００４２】
一方，受け付けた印刷ジョブが蓄積印刷の印刷ジョブであると判断した場合（Ｓ１０１：ＹＥＳ），ＣＰＵ３１は，受け付けた印刷ジョブのＰＤＬデータを，ＲＡＭ３３に記憶する（Ｓ１０５）。図７に，ＲＡＭ３３中の画像データ用のメモリ領域３３１にデータが蓄積される様子を模式的に示す。Ｓ１０５にてメモリ領域３３１にＰＤＬデータが蓄積され，図７（Ｍ）から（Ｎ）となる。なお，図７では，今回受け付けた印刷ジョブ以外に，印刷中の印刷ジョブや蓄積中の印刷ジョブが無い場合の例を示している。
【００４３】
Ｓ１０５の後，ＣＰＵ３１は，印刷ジョブから，その印刷ジョブのユーザ情報を抽出する（Ｓ１０６）。なお，Ｓ１０５とＳ１０６とは，逆順でもよい。そして，ＣＰＵ３１は，抽出したユーザ情報に対して，カーボンコピー印刷が設定されているか否かを判断する（Ｓ１０７）。カーボンコピー印刷は特定の印刷の一例であり，Ｓ１０７は，判断処理または特定判断処理の一例である。
【００４４】
プリンタ１００は，例えば，図８に示すように，ユーザ情報とカーボンコピー印刷を行うか否かの情報であるカーボンコピー設定とを関連付けて記憶するカーボンコピー情報３４１を，ＮＶＲＡＭ３４に記憶している。カーボンコピー情報３４１は，情報記憶部の一例であり，カーボンコピー設定は，実行情報の一例である。
【００４５】
図８の例では，ユーザ００１とユーザ００２とユーザ００５は，カーボンコピー設定が「有」であり，ユーザ００３とユーザ００４は，カーボンコピー設定が「無」である。つまり，受け付けた印刷ジョブのユーザが，ユーザ００１またはユーザ００２またはユーザ００５であれば，プリンタ１００は，その印刷ジョブについてカーボンコピー印刷を行う。一方，受け付けた印刷ジョブのユーザが，ユーザ００３またはユーザ００４であれば，プリンタ１００は，その印刷ジョブについてカーボンコピー印刷を行わない。
【００４６】
ＣＰＵ３１は，Ｓ１０７にて，ＮＶＲＡＭ３４からカーボンコピー情報３４１を読み出し，受け付けた印刷ジョブのユーザに関連付けて記憶されているカーボンコピー設定が「有」であれば，当該印刷ジョブはカーボンコピー印刷の印刷ジョブであると判断する。また，ＣＰＵ３１は，受け付けた印刷ジョブのユーザに関連付けて記憶されているカーボンコピー設定が「無」であれば，当該印刷ジョブはカーボンコピー印刷の印刷ジョブではないと判断する。カーボンコピー情報３４１に基づいてカーボンコピー印刷を行うか否かを判断することで，印刷ジョブ毎に送信元で設定する手間が省ける。
【００４７】
カーボンコピー印刷ではないと判断した場合（Ｓ１０７：ＮＯ），ＣＰＵ３１は，ジョブ蓄積処理を終了する。カーボンコピー印刷ではない蓄積印刷の印刷ジョブであれば，プリンタ１００は，印刷指示を待って展開する。そのため，メモリ領域３３１は，図７（Ｎ）に示したように，印刷ジョブのＰＤＬデータだけが蓄積された状態となる。カーボンコピー印刷ではない場合のＳ１０５は，第２の記憶処理またはプリンタ言語データ記憶処理の一例である。
【００４８】
一方，カーボンコピー印刷であると判断した場合（Ｓ１０７：ＹＥＳ），ＣＰＵ３１は，カーボンコピー印刷の印刷設定の１つに基づいてＰＤＬデータを展開し，１つのビットマップデータを作成する（Ｓ１０８）。Ｓ１０８は，作成処理またはビットマップデータ作成処理の一例である。なお，後述するように，プリンタ１００は，１つの印刷ジョブに対して，Ｓ１０８を複数回実行する。
【００４９】
さらに，ＣＰＵ３１は，印刷設定にて，画像の合成が設定されているか否かを判断する（Ｓ１０９）。画像の合成が設定されていないと判断した場合（Ｓ１０９：ＮＯ），ＣＰＵ３１は，Ｓ１０８にて作成したビットマップデータをＲＡＭ３３に蓄積する（Ｓ１１０）。画像の合成が設定されていると判断した場合（Ｓ１０９：ＹＥＳ），ＣＰＵ３１は，Ｓ１０８にて作成したビットマップデータに，合成用の画像を合成する（Ｓ１１１）。さらに，ＣＰＵ３１は，合成後のビットマップデータをＲＡＭ３３に蓄積する（Ｓ１１２）。Ｓ１１０またはＳ１１２は，第１の記憶処理またはビットマップデータ記憶処理の一例であり，Ｓ１１１は，合成処理の一例である。
【００５０】
１回目のＳ１１０またはＳ１１２により，メモリ領域３３１には，図７の（Ｏ）に示すように，１つのビットマップデータが蓄積される。蓄積されるビットマップデータは，例えば，図４（Ｇ）の「お客様用」画像のビットマップデータであり，第１ビットマップデータの一例である。なお，メモリ領域３３１中の各画像データの配置は，図７に示した例に限らない。
【００５１】
そして，Ｓ１１０の後，または，Ｓ１１２の後，ＣＰＵ３１は，記憶している複数の印刷設定に基づく，全てのビットマップデータの作成が終了したか否かを判断する（Ｓ１１５）。終了していないと判断した場合（Ｓ１１５：ＮＯ），ＣＰＵ３１は，Ｓ１０８に戻り，次のビットマップデータを作成して蓄積する。次のビットマップデータは，第２ビットマップデータの一例である。つまり，ＣＰＵ３１は，カーボンコピー印刷の印刷設定の次の１つに基づいて，ＰＤＬデータを展開し，画像の合成が設定されていれば合成を行い，作成したビットマップデータをＲＡＭ３３に蓄積する。
【００５２】
全てのビットマップデータの作成が終了したと判断した場合（Ｓ１１５：ＹＥＳ），ＣＰＵ３１は，ジョブ蓄積処理を終了する。例えば，図４に示した例のように，２種類の印刷設定を有するカーボンコピー印刷であれば，図７の（Ｐ）に示すように，メモリ領域３３１は，２種類のビットマップデータとＰＤＬデータとが蓄積された状態となる。３種類以上の印刷設定を有するカーボンコピー印刷であれば，印刷設定の個数分のビットマップデータとＰＤＬデータとが蓄積される。
【００５３】
プリンタ１００は，蓄積印刷の印刷ジョブを受け付け，かつ，それがカーボンコピー印刷であると判断した場合，印刷指示を受け付けるまで，ＰＤＬデータとビットマップデータとの両方をＲＡＭ３３に蓄積したまま待機する。特に，展開後のビットマップデータのデータ量は，展開前のＰＤＬデータのデータ量に比較して大きい可能性が高いため，複数のビットマップデータを蓄積した場合には，ＲＡＭ３３の空き容量が小さくなる。ＲＡＭ３３の空き容量を確保してなるべくたくさんの印刷ジョブを蓄積できるようにするためには，ＰＤＬデータをビットマップデータに展開せずにそのまま記憶する方が好ましい。
【００５４】
ところで，カーボンコピー印刷は，主に店舗などで，顧客に渡す書類とその書類の控えであるコピー書類とをまとめて印刷する用途に使われる場合が多い。この用途では，顧客に印刷物をなるべく早く渡すために，印刷指示を受け付けてから印刷を開始するまでの時間は，なるべく短い方が好ましい。
【００５５】
そこで，プリンタ１００は，カーボンコピー印刷の印刷ジョブを受け付けた場合，印刷指示を待たずにＰＤＬデータを複数のビットマップデータに展開してＲＡＭ３３に保存する。このようにすることで，印刷指示を受け付けた後にＰＤＬデータを複数のビットマップデータに展開する処理を始める場合に比較して，ＲＡＭ３３の空き容量は小さくなるけれども印刷指示の受付から印刷完了までの時間は短くなる可能性が高いので，印刷物を早くユーザに提供できる可能性が高まる。
【００５６】
次に，蓄積印刷の印刷ジョブの画像データを読み出して印刷する読出印刷処理の手順について，図９のフローチャートを参照して説明する。読出印刷処理は，蓄積印刷の印刷ジョブの画像データが蓄積されている状態で，つまり，図７の（Ｎ）または（Ｐ）の状態で，操作パネル４０を介して，印刷開始ボタンの押下，または，印刷開始に先行する情報の入力を受け付けたことを契機に，ＣＰＵ３１によって実行される。印刷開始に先行する情報の入力とは，例えば，ユーザ認証開始の指示が該当する。
【００５７】
読出印刷処理では，ＣＰＵ３１は，まず，操作パネル４０に，認証情報の入力を要求する表示を行わせ，認証情報の入力を受け付ける（Ｓ２０１）。認証情報としては，例えば，ユーザＩＤ，パスワード，ＩＤカード等の近距離通信情報，指紋や掌紋等の身体情報，が該当する。
【００５８】
そして，ＣＰＵ３１は，入力された認証情報に基づいて，ユーザ認証に成功したか否かを判断する（Ｓ２０２）。認証に失敗したと判断した場合（Ｓ２０２：ＮＯ），ＣＰＵ３１は，操作パネル４０に印刷できないことを表示させ（Ｓ２０３），読出印刷処理を終了する。なお，プリンタ１００は，認証に失敗した場合，リトライを受け付けてもよい。
【００５９】
ユーザ認証に成功したと判断した場合（Ｓ２０２：ＹＥＳ），ＣＰＵ３１は，ＲＡＭ３３に蓄積されている印刷ジョブのうち，印刷対象とするジョブの指定を受け付ける（Ｓ２０５）。ＣＰＵ３１は，例えば，当該ユーザの印刷ジョブの一覧を操作パネル４０に表示させ，印刷対象の印刷ジョブの選択を受け付ける。そして，印刷ジョブの選択と決定のための指示入力が，当該印刷ジョブの印刷指示となる。なお，ユーザ認証に成功したユーザの印刷ジョブが蓄積されていない場合には，ジョブが無い旨を表示して，読出印刷処理を終了するとよい。
【００６０】
次に，ＣＰＵ３１は，指定された印刷ジョブが，カーボンコピー印刷の印刷ジョブであるか否かを判断する（Ｓ２０６）。前述したように，カーボンコピー印刷を行うか否かはユーザ毎に設定されており，カーボンコピー印刷を行う設定のユーザの蓄積印刷ジョブは，複数のビットマップデータとして蓄積されている。そこで，ＣＰＵ３１は，例えば，ログインを受け付けたユーザ情報とカーボンコピー情報３４１とに基づいて，カーボンコピー設定が「有」のユーザであれば，カーボンコピー印刷の印刷ジョブであると判断する。あるいは，ＣＰＵ３１は，指定された印刷ジョブについて，複数のビットマップデータが蓄積されていれば，カーボンコピー印刷の印刷ジョブであると判断する。
【００６１】
そして，カーボンコピー印刷の印刷ジョブであると判断した場合（Ｓ２０６：ＹＥＳ），ＣＰＵ３１は，カーボンコピー印刷の実行可否を受け付ける（Ｓ２０７）。例えば，ＣＰＵ３１は，操作パネル４０にカーボンコピー印刷を実行するか否かを問い合わせる表示を行わせ，ユーザの入力を受け付ける。印刷前にカーボンコピー印刷の実行可否を問い合わせることで，カーボンコピー印刷を行う設定のユーザであっても，内容確認のための仮印刷など，カーボンコピー印刷を行わない用途での印刷にも対応でき，ユーザの用途に合った印刷を実行できる。
【００６２】
そして，ＣＰＵ３１は，実行不可を受け付けたか否かを判断する（Ｓ２０８）。実行不可を受け付けたと判断した場合（Ｓ２０８：ＹＥＳ），ＣＰＵ３１は，蓄積済みの複数のビットマップデータを削除する（Ｓ２０９）。これにより，メモリ領域３３１の状態は，図７の（Ｐ）から（Ｎ）へ移行する。
【００６３】
Ｓ２０９の後，または，カーボンコピー印刷の印刷ジョブではないと判断した場合（Ｓ２０６：ＮＯ），ＣＰＵ３１は，蓄積済みのＰＤＬデータを展開し，ビットマップデータを作成する（Ｓ２１０）。Ｓ２１０にて作成されるビットマップデータは，第３ビットマップデータの一例である。さらに，ＣＰＵ３１は，画像形成部１０に，作成したビットマップデータに基づく画像の印刷を実行させる（Ｓ２１１）。Ｓ２０６でＮＯと判断した場合のＳ２１０とＳ２１１は，第２の印刷処理の一例である。
【００６４】
一方，実行不可を受け付けなかったと判断した場合（Ｓ２０８：ＮＯ），ＣＰＵ３１は，画像形成部１０に，蓄積されている複数のビットマップデータに基づく画像の印刷を，順次行わせる（Ｓ２１２）。Ｓ２１２は，第１の印刷処理の一例である。なお，実行不可を受け付けなかったとは，実行可を受け付けた場合のみでなく，所定時間内に実行不可の入力を受け付けなかった場合を含むとよい。
【００６５】
Ｓ２１１またはＳ２１２にて印刷が終了したら，ＣＰＵ３１は，印刷の終了した印刷ジョブのＰＤＬデータおよびビットマップデータを全て削除し（Ｓ２１３），読出印刷処理を終了する。これにより，メモリ領域３３１は，記憶される画像データは無くなり，図７の（Ｍ）の状態となる。
【００６６】
以上，詳細に説明したように，本形態のプリンタ１００によれば，受け付けた印刷ジョブが蓄積印刷の印刷ジョブであれば，その印刷ジョブについてカーボンコピー印刷を行うか否かを判断する。カーボンコピー印刷を行うと判断した場合，プリンタ１００は，印刷指示を受け付ける前から，当該印刷ジョブのＰＤＬデータを展開して複数のビットマップデータを作成し，複数のビットマップデータをＲＡＭ３３に記憶する。カーボンコピー印刷の場合は，印刷物の早期取得の必要性が高い傾向にあり，印刷が早期に実行され，データが早期に削除される可能性が高い。つまり，ビットマップデータを作成して記憶させても，印刷ジョブのデータが長期にわたってＲＡＭ３３に残る可能性は低い。一方，ビットマップデータを作成して記憶することで，印刷指示を受け付けた後の印刷開始までの待ち時間が短縮され，印刷物を早くユーザに提供できる可能性が高まる。
【００６７】
なお，本実施の形態は単なる例示にすぎず，本発明を何ら限定するものではない。したがって本発明は当然に，その要旨を逸脱しない範囲内で種々の改良，変形が可能である。例えば，プリンタに限らず，複合機，複写機，スキャナ，ＦＡＸ等，画像形成機能を備えるものであれば適用可能である。
【００６８】
また，蓄積印刷の機能を使用するか否かの設定を，印刷ジョブの印刷設定にて受け付けるとしたが，これに限らない。例えば，ユーザごとに決まっていてもよいし，印刷ジョブを送信するデバイスごとに決まっていてもよい。
【００６９】
また，蓄積印刷の印刷指示は，印刷開始ボタンの押下に限らない。例えば，ユーザ認証のための認証情報の入力を受け付け，ユーザ認証に成功した場合には，蓄積されている印刷ジョブのうち，認証に成功したユーザの印刷ジョブを全て印刷するとしてもよい。この場合，ユーザ認証のための情報の入力が，印刷指示に相当する。また，操作パネル４０とは別にユーザ認証用の構成を備えていれば，その構成も受付部の一例である。
【００７０】
また，カーボンコピー情報３４１に基づいて，ユーザ毎にカーボンコピー印刷を行うか否かを決めておく代わりに，例えば，印刷ジョブの送信元のデバイス情報に基づいて判断してもよい。具体的には，カーボンコピー情報３４１として，デバイス情報とカーボンコピー印刷の実施の有無とを関連付けて記憶する。これにより，例えば，カーボンコピー印刷専用のデバイスを指定できるので，カーボンコピー印刷が必要な印刷ジョブは，そのデバイスから送信するとすればよい。デバイス情報としては，例えば，ノード名，ＩＰアドレスが該当する。また，カーボンコピー印刷の設定を，印刷ジョブの印刷設定にて受け付けてもよい。
【００７１】
また，カーボンコピー情報３４１は，プリンタ１００のＮＶＲＡＭ３４に記憶する代わりに，例えば，プリントサーバ等の外部装置に記憶してもよい。その場合には，プリンタ１００は，印刷ジョブから取得したユーザ情報をプリントサーバ等の外部装置に送信し，外部装置から，カーボンコピー印刷を行うか否かの情報を受信し，受信した情報に基づいて，カーボンコピー印刷を行うか否かを判断する。または，プリントサーバ等の外部装置が，印刷ジョブを受信し，カーボンコピー印刷を行うか否かの情報を付加して，プリンタ１００に送信するとしてもよい。外部装置にて一括して管理することで，複数台のプリンタ１００を使用している場合でも，カーボンコピー情報の設定の手間が省ける。一方，プリンタ１００毎に管理すれば，個別に設定することができる。
【００７２】
また，プリンタ１００は，ユーザ認証を，自装置が有する情報に基づいて行ってもよいし，サーバ等の外部装置に行わせてもよい。また，プリンタ１００は，ユーザ認証を行わなくてもよい。プリンタ１００は，例えば，印刷ジョブの一覧表示の指示等を契機に読出印刷処理の実行を開始し，ユーザ認証を行うことなく，図９のＳ２０５から処理を開始して印刷ジョブの一覧を表示させ，印刷するジョブの選択を受け付けてもよい。また，印刷ジョブの設定に応じて，ユーザ認証を行うジョブと行わないジョブとがあってもよい。また，各印刷ジョブにパスワードを設定してもよい。
【００７３】
また，カーボンコピー印刷として蓄積された印刷ジョブの印刷実行時に，カーボンコピー印刷の実行可否を問い合わせるとしたが，問い合わせなくてもよい。つまり，Ｓ２０６にてＹＥＳと判断した後，Ｓ２１２に移行してもよい。ただし，実行時に問い合わせることで，ジョブ送信後のユーザの用途の変更にも対応できる。
【００７４】
また，実施の形態では，画像の合成をビットマップデータを蓄積する前に行うとしたが，合成前のビットマップデータを蓄積し，印刷実行の前に合成してもよい。ただし，蓄積前に合成すれば，印刷前に合成するよりも，印刷指示を受け付けてから印刷が完了するまでの時間の短縮が図られる。
【００７５】
実施の形態では，記憶部，受付部，制御部を，全てプリンタ１００が備えるとしたが，本発明は，例えば，これらの一部をプリンタ１００と通信可能なプリントサーバ等が備える印刷システムにて実施することもできる。また，通信部は，ネットワークインターフェース３７およびＵＳＢインターフェース３８の何れか一方でもよいし，これら以外にも通信可能な構成を備えていてもよい。
【００７６】
また，実施の形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【００７７】
１０  画像形成部
３１  ＣＰＵ
３３  ＲＡＭ
３４  ＮＶＲＡＭ
３７  ネットワークインターフェース
３８  ＵＳＢインターフェース
４０  操作パネル
１００  プリンタ
【図１】
0006736994.tif 000002
【図２】
0006736994.tif 000003
【図３】
0006736994.tif 000004
【図４】
0006736994.tif 000005
【図５】
0006736994.tif 000006
【図６】
0006736994.tif 000007
【図７】
0006736994.tif 000008
【図８】
0006736994.tif 000009
【図９】
0006736994.tif 000010